(57)【要約】    【課題】  スリープモードを有する電子装置に、本来のウェイクアップイベントと異なる信号、たとえばノイズが入り、電子装置が起動してしまって、電力を無駄に消費するのを抑止する。    【解決手段】  入力信号１８から第１の信号特性を検知するのに応じて、第１信号検知モードから第２信号検知モードに遷移するように動作可能なスリープ復帰回路１０が電子装置に組み込まれる。スリープ復帰回路１０中のマルチモード検知システム１２は、入力信号１８から第１の信号特性とは異なる第２の信号特性を検知するのに応じて、パワーモード制御装置１４に出力信号２０を発し、スリープ復帰回路１０は第２信号検知モードから第３動作モードに遷移する。スリープ復帰回路１０が所定の順を追って信号特性を検知することにより、電子装置は初めてフルパワーモードで作動する。    【選択図】    図１
2005108240.tif 000002
【特許請求の範囲】
【請求項１】
入力信号から第１の信号特性を検知するのに応じて第１信号検知モードから第２信号検知モードに遷移するように動作し、前記入力信号から前記第１の信号特性とは異なる第２の信号特性を検知するのに応じて、前記第２信号検知モードから第３動作モードに遷移するように動作可能であるスリープ復帰回路を備えることを特徴とする装置。
【発明の詳細な説明】
【技術分野】
【０００１】
本発明は、装置をスリープ動作モードから回復するためのシステムおよび方法に関する。
【背景技術】
【０００２】
電子装置（たとえば、携帯用電子装置またはコンピュータシステム）の電力消費量を減少させるために、多くの種々の方法が提案されてきた。一般に、こうした方法では、通常は電子装置の１個または複数の構成部品を停止する。たとえば、いくつかの方法では、電子装置の１個または複数の回路は、フルパワー（つまりウェイク）モードから省電力つまりスリープモードに切り換えられる。スリープモードの動作では、電子装置の１個または複数の回路は、これらの回路を電源から外すことにより遮断される。あるいは、回路を電源から切断する代わりに、１個または複数の回路内のクロック動作をスリープモードの動作で一時停止して、状況情報を保存しつつ、電力消費量を著しく削減することができる。ウェイクおよびスリープモードのほかに、その他の様々な中間の装置動作モードが提案されており、この中間の装置動作モードでは、ウェイクモードおよびスリープモードでの電力消費レベルの中間に相当する電力を消費する。
【０００３】
スリープ動作モードの装置は、１つまたは複数のウェイクアップイベントに応じて、スリープモードから出るか、復帰するか、またはアウェイクすることができる。ウェイクアップイベントの例としては、予め決められた論理状態の外部ウェイクアップ信号の受信、タイミングイベントが終了したという通知の受信、外部ピンにおける割込み信号の受信、およびユーザ開始信号の受信が挙げられる。多くの方法では、電子装置内のスリープ復帰回路は、少なくとも１つの外部イベントの検知に応じて、電子装置をスリープモードからウェイクモードに切り換えるためのウェイクアップシーケンスをトリガする。
【発明の開示】
【発明が解決しようとする課題】
【０００４】
上述したスリープモードを有する電子装置に、本来のウェイクアップイベントと異なる信号、たとえばノイズが入り、電子装置が起動してしまって、電力を無駄に消費してしまう場合があった。
【課題を解決するための手段】
【０００５】
本発明の一態様では、装置は、入力信号から第１の信号特性の検知に応じて、第１信号検知モードから第２信号検知モードに遷移するように動作可能なスリープ復帰回路を備える。このスリープ復帰回路は、入力信号から第１の信号特性とは異なる第２の信号特性を検知するのに応じて、第２信号検知モードから第３動作モードに遷移するように動作可能でもある。
【０００６】
もう１つの態様では、本発明は、第１の信号特性を入力信号から検知する装置を作動させる方法を特徴とする。装置の動作モードは、入力信号から第１の信号特性を検知するのに応じて第１信号検知モードから第２信号検知モードに遷移する。第１の信号特性と異なる第２の信号特性は、入力信号から検知される。装置の動作モードは、入力信号から第２の信号特性を検知するのに応じて、第２信号検知モードから第３動作モードに遷移する。
【０００７】
本発明のその他の特徴および利点は、図面および請求の範囲を含む以下の説明から明白になるであろう。
【発明を実施するための最良の形態】
【０００８】
以下の説明では、同一の参照符号を使用して同一の部品を特定する。さらに、図面は、例示的な実施態様の主な特徴を略図で示すことを意図している。図面は、実際の実施態様におけるすべての特徴を表すことを意図しているのでも、図示された部品の相対的な寸法を表すことを意図しているのでもなく、一定の比例で拡大縮小して描かれていない。
【０００９】
図１は、マルチモード検知システム１２と、パワーモード制御装置１４とを備えるスリープ復帰回路１０の一実施態様を示す。マルチモード検知システム１２は、Ｎ個の信号検知器１６であって、Ｎが２以上の整数値を有する信号検知器１６を備える。各信号検知器１６は、入力信号１８の異なるそれぞれの特性を検知するように構成される。各信号検知器１６により生成される出力信号２０は、パワーモード制御装置１４に伝送される。
【００１０】
各信号検知器１６から受信する出力信号２０に基づき、パワーモード制御装置１４はある検知モードから別の検知モードに遷移する。一般に、パワーモード制御装置１４は、スリープモードとウェイクモードとの間で遷移するように動作可能である。いくつかの実施の形態では、パワーモード制御装置１４は、スリープモードとウェイクモードとの間で直接遷移する。その他の実施の形態では、パワーモード制御装置１４は、スリープモードとウェイクモードとの間を遷移する過程で、１つまたは複数の中間モードを通って遷移する。パワーモード制御装置１４は、マルチモード検知システム１２に対して、種々の動作モード時における各信号検知器１６の動作を指定するための制御信号２２を伝送する。パワーモード制御装置１４は、下流の装置に、現在の動作のモードに応じて変化する電子出力データ２４も伝送する。本明細書で使用する場合、「動作のモード」および「動作モード」という用語は共に、電力消費レベルに基づいて、動作の他の状態と区別することができるスリープ復帰回路１０の動作のある状態を広く意味する。例示的な動作モードは、スリープ（つまり、比較的低い消費電力の）動作モード、ウェイク（つまり、比較的高い消費電力の）動作モード、そしてウェイク動作モードおよびスリープ動作モードそれぞれでの電力消費レベルの間の電力消費である中間動作モードが挙げられる。パワーモード制御装置１４は、特定のあるハードウェアまたはソフトウェア構成に限られず、ディジタル電子回路構成、またはコンピュータハードウェア、ファームウェアもしくはソフトウェアに含まれる何らかの計算または処理環境で実施することができる。
【００１１】
以下に詳細に説明するとおり、実施の形態によっては、パワーモード制御装置１４は、マルチモード検知システム１２の種々の各信号検知器１６を選択的に作動状態にして、実際の入力データ信号の存在を正確に検知することを可能にし、かつ、全体の電力消費量が、類似の検知精度を有する単一の検知器を使用したスリープ復帰回路構造よりも低くなるように構成される。さらに、これらの実施態様は、誤ったアラーム（起動信号）に対して、単一検知器を使用したスリープ復帰回路構造よりも高度の安定性および抵抗性で、実際の入力データ信号の存在を検知することが可能である。
【００１２】
図２は、スリープ復帰回路１０を作動させる方法であって、スリープ復帰回路１０がスリープモードとウェイクモードとの間で遷移する時に、マルチモード検知システム１２の信号検知器１６が順次使用可能になる方法の一実施態様を示す。
【００１３】
スリープモードの開始時には、検知器追跡パラメーターｉは０に設定され、出力データ２４は常に、スリープ復帰回路１０の組み込まれた装置がスリープモードの作動となるように設定される（ステップ３０）。たとえば、実施の形態によっては、入力信号１８に対応する出力データ２４は、スリープモード時には遮断される。また、他の実施の形態によっては、出力データ２４は、スリープ復帰回路１０の組み込まれた装置がスリープ動作モードとなることを示す、予め決められた一定の値に設定されたデータチャネルを備える。出力データ２４は、追加の信号チャネル（たとえば、信号損失（ＬＯＳ）チャネル）を有していてもよく、この場合、この信号損失チャネルは、スリープ復帰回路１０の組み込まれた装置に対して、入力信号１８が存在しないか、または入力信号１８のデータの質が不十分なために、指定の性能を達成することができないか、または入力信号１８に関連するその他の問題があることを示す値に設定される。もし問題がなければ、この信号損失チャネルは無効となる。
【００１４】
スリープモード時における信号検知は、以下のように進行する。検知器追跡パラメーターｉはインクリメントされ（ステップ３２）、信号検知器ｉを使用可能にする（ステップ３４）。信号検知器ｉが、入力信号から信号特性ｉを検知すると（ステップ３６）、信号検知器ｉが使用不能になり（ステップ３８）、すべての信号検知器が、個々の信号特性ｉを検知する（つまり、ｉ＝Ｎ、ステップ４０）まで、このプロセスは、次の信号検知器について１、．．．、Ｎのシーケンスで繰り返される。信号検知器ｉが入力信号から信号特性ｉを検知できなかった場合（ステップ３６）、スリープ復帰回路１０はスリープモードの開始（ステップ３０）に戻り、任意の遅延期間後にプロセスを繰り返す（ステップ３２〜３６）。
【００１５】
一般に、信号検知器１６は、以下の２つ、すなわち、
（１）入力信号１８が存在する、
（２）入力信号１８が有効な入力データ信号に対応する、
といった事象のうちの一方または両方の証拠を提供する入力信号１８のそれぞれの特性を検知するように構成される。検知される信号特性の数および種類は、入力信号１８の特性、スリープ復帰回路１０が、スリープモードからアウェイクする前に入力信号１８の存在を確認する際の確実性のレベルに関する仕様、そして内蔵装置の目標性能レベル（たとえば、指定のビット誤り率（ＢＥＲ））に関する仕様を含む、アプリケーション環境の仕様やスリープ復帰回路１０を含む装置の仕様によって決まる。信号検知器１６によって検知されることの出来る代表的信号特性として、直流（ＤＣ）信号特性及び交流（ＡＣ）信号特性がある。ＤＣ信号特性を用いる例としては、閾値レベルを超える電圧レベル、および閾値レベルを超える電流レベルである。ＡＣ信号特性を用いる例としては、閾値レベルを超えるＲＭＳ（２乗平均の平方根、実効値）の振幅、閾値レベルを超えるピーク信号レベル、規定周波数帯域内の周波数、規定範囲内のパルス幅値、入力信号により搬送される特徴的なデータパターン（たとえば、初期化パターンまたは自動交渉パターン）が挙げられる。ＡＣ入力信号１８の周波数特性は、基準位相ロックループ（ＰＬＬ）により決定され、ＡＣ入力信号１８のパルス幅特性は、標準パルス幅比較器を利用したパルス幅測定回路により決定される。
【００１６】
図２の実施態様では、信号検知器１６は、一度に１個づつ使用可能となっているので、スリープ復帰回路１０の電力消費量を低下させる。実施の形態によっては、信号検知器１６は、スリープ復帰回路１０の全体の電力消費量が最小限となるようなシーケンスで使用可能になる。実施の形態によっては、信号検知器１６は、最低電力消費量から最高電力消費量の順序で使用可能になる。信号検知器１６が使用可能になる特定の順序は、マルチモード検知システム１０内の信号検知器の数および種類によって決まる。たとえば、信号検知器１６が選択される順序は、種々の信号検知器が、全体的な初期拒絶率を高くするために、不適合な入力信号およびノイズなどの偽起動信号を拒絶することを可能にする割合に基づく。こうした偽起動信号拒絶率は、実験的に決定される。
【００１７】
すべての信号検知器１６が個々の信号特性ｉを検知した後（つまり、ｉ＝Ｎ、ステップ４０）、スリープ復帰回路１０はウェイクモードに入る。このウェイクモードでは、出力データ２４が、スリープ復帰回路１０を内蔵する装置をウェイクモードで作動させるのに一致するように設定される（ステップ４２）。たとえば、実施の形態によっては、出力データ２４は、入力データ信号１８に対応する信号を内蔵装置に渡すデータチャネルを備える。出力データ２４は、追加の信号チャネル（たとえば、ＬＯＳチャネル）を備えることができ、この信号チャネルは、スリープ復帰回路１０を内蔵する装置に対して、入力信号１８が存在し、（任意に）規定の性能レベルを達成するのに十分な品質であることを指示する値に設定される。
【００１８】
ウェイクモードでは、スリープ復帰回路１０は、入力信号の少なくとも１つの特性を定期的に検知して、その入力信号１８が存在することを検証する（ステップ４４）。図２に示す実施態様では、スリープ復帰回路１０は、信号検知器Ｎを使用して、入力信号１８の存在を検証する。実施の形態によっては、信号検知器Ｎは、入力信号１８のＡＣ特性を検知するように構成される。たとえば、これらの実施の形態では、信号検知器Ｎは標準ＬＯＳ  ＡＣ検知器に相当し、入力信号レベルが、規定のビット誤り率（たとえば、１０００回に１回）が予想される閾値未満に低下したことを検知する。入力信号１８が検知されない場合（たとえば、システムの停止、システムのエラー、またはデータ伝送問題により、ステップ４４）、スリープ復帰回路１０はスリープモードに戻る（ステップ３０）。
【００１９】
その他の、いくつかの実施の形態では、入力信号検知ステップ（ステップ４４）が繰り返されるか、または１回以上の追加の入力信号検証ステップが行われてから、スリープ復帰回路１０はウェイクモードから逆にスリープモードに遷移する。
【００２０】
図３は、光電子用途に適するスリープ復帰回路１０の実施の形態５０を示す。この実施の形態では、マルチモード検知システム１２は、ＤＣ検知器５２およびＡＣ検知器５４を備える。光電変換器５６（たとえば、フォトダイオード）は、光入力信号１８を、スイッチ６０に伝送される電流入力信号５８に変換する。パワーモード制御装置１４は、スイッチ６０を制御して、信号検知モードイネーブル信号６２でＡＣ検知器５４を選択的に使用可能にする。パワーモード制御装置１４は、出力モードイネーブル信号６８も使用して、標準出力バッファ回路で構成される出力６４から伝送されるデータ６６を制御する。さらに、パワーモード制御装置１４は、スリープ復帰回路の動作モードに基づいてＬＯＳ信号７０を伝送する。
【００２１】
ＤＣ検知器５２は、電気信号５８のＤＣ信号特性を検知するものであればどのようなものでもよく、ＡＣ検知器５４は、電気信号５８のＡＣ信号特性を検知するものであればどのようなものでもよい。高周波光ファイバトランシーバ用途に適する例示的な一実施態様では、ＤＣ検知器５２はＤＣ電流閾値検知器であり、ＡＣ検知器５４はＡＣピーク検知器である。実施の形態によっては、ＤＣ検知器５２およびＡＣ検知器５４は、検知には関連しない部品を追加的に備える場合がある。たとえば、実施の形態によっては、ＡＣ検知器５４は、電流信号５８を電圧信号に変換して、その結果を増幅するためのフロントエンドトランスインピーダンス増幅器を備える。
【００２２】
図４は、スリープ復帰回路１０の実施の形態５０を作動させる方法の一実施態様を示す。スリープモードの開始時には、パワーモード制御装置は出力６４を使用不能にし、ＬＯＳ信号７０を「真」の状態（たとえば、値「１」）に設定して、入力信号１８が存在しないことを指示し、ＤＣ検知器５２を使用可能にする（ステップ７４）。図３に示す実施の形態では、ＤＣ検知器５２は、電流信号５８をＤＣ検知器５２の入力部に接続するようにスイッチ６０を制御することにより使用可能になる。ＤＣ信号特性が規定の閾値（ＤＣTH）より大きい場合（ステップ７６）、パワーモード制御装置１４ははＡＣ検知器５４を使用可能にし、ＤＣ検知器５２を使用不能にする（ステップ７８）。図３に示す実施の形態では、電流信号５８をＡＣ検知器５４の入力部に接続するようにスイッチ６０を制御することによりＤＣ検知器５２は使用不能になり、信号検知モードイネーブル信号６２でＡＣ検知器５４は使用可能になる。ＤＣ信号特性が規定の閾値（ＤＣTH）より大きくない場合（ステップ７６）、パワーモード制御装置１４は、スリープ動作モードの開始に戻り（ステップ７４）、任意の遅延期間後に、ＤＣ信号特性検知プロセスを繰り返す（ステップ７６）。
【００２３】
ＡＣ検知器５４が使用可能になった後（ステップ７８）、パワーモード制御装置１４は、ある遅延期間だけ一時停止してから動作を続行する（ステップ８０）。遅延期間は、たとえば、ＡＣ検知器５４がオフ状態からレディ状態に遷移するのに要する時間に相当する。遅延期間後（ステップ８０）、ＡＣ信号特性が、規定の閾値（ＡＣTH）より大きい場合、パワーモード制御装置１４は出力６４を使用可能にし、ＬＯＳ信号７０を「偽」状態（たとえば、「０」の値）に設定して、入力信号が存在することを指示する（ステップ８４）。ＡＣ信号特性が規定の閾値（ＡＣTH）より大きくない場合、パワーモード制御装置１４は、ある遅延期間だけ一時停止してから（ステップ８６）、ＡＣ信号特性が規定の閾値（ＡＣTH）より大きいかどうかの再検査に進む（ステップ８８）。
【００２４】
再検査後、ＡＣ信号特性が規定の閾値（ＡＣTH）より大きい場合、パワーモード制御装置１４は出力６４を使用可能にして、ＬＯＳ信号７０を「偽」状態（たとえば、値「０」）に設定し、入力信号が存在することを指示する（ステップ８４）。さもなければ、パワーモード制御装置１４は、スリープ動作モードの開始に戻り（ステップ７４）、任意の遅延期間後に、ＤＣ信号特性検知プロセスを繰り返す（ステップ７６）。
【００２５】
図５は、スリープ復帰回路１０の実施の形態５０を作動させる方法の別法による実施態様を示す。スリープモードの開始時には、パワーモード制御装置は出力６４を使用不能にし、ＬＯＳ信号７０を「真」状態（たとえば、値「１」）に設定し、入力信号１８が存在しないことを指示し、ＤＣ検知器５２を使用可能にする（ステップ９０）。図３に示す実施の形態では、電流信号５８をＤＣ検知器５２の入力部に接続するようにスイッチ６０を制御することによりＤＣ検知器５２が使用可能になる。ＤＣ信号特性が規定の閾値（ＤＣTH）より大きい場合、パワーモード制御装置１４はＡＣ検知器５４を使用可能にし、ＤＣ検知器５２を使用不可にする（ステップ９４）。図３に示す実施の形態では、電流信号５８をＡＣ検知器５４の入力部に接続するようにスイッチ６０を制御することによりＤＣ検知器５２は使用不能になり、信号検知モードイネーブル信号６２でＡＣ検知器５４は使用可能になる。ＤＣ信号特性が、規定の閾値（ＤＣTH）より大きくない場合（ステップ９２）、パワーモード制御装置１４はスリープ動作モードの開始に戻り（ステップ９０）、任意の遅延期間後に、ＤＣ信号特性検知プロセスを繰り返す（ステップ９２）。
【００２６】
ＡＣ検知器５４が使用可能になった後（ステップ９４）、パワーモード制御装置１４は、ある遅延期間だけ一時停止してから動作を続行する（ステップ９６）。遅延期間は、たとえば、ＡＣ検知器５４がオフ状態からレディ状態に遷移するのに要する時間に相当する。遅延期間後（ステップ９６）、ＡＣ信号特性が、規定の閾値（ＡＣTH）より大きい場合（ステップ９８）、パワーモード制御装置１４は出力６４を使用可能にし、ＬＯＳ信号７０を「偽」状態（たとえば、値「０」）に設定して、入力信号が存在することを示す（ステップ１００）。ＡＣ信号特性が規定の閾値（ＡＣTH）より大きくない場合、パワーモード制御装置１４はスリープ動作モードの開始に戻り（ステップ９０）、任意の遅延期間後に、ＤＣ信号特性検知プロセスを繰り返す（ステップ９２）。
【００２７】
ウェイクモード（ステップ１０２〜１０６）時には、パワーモード制御装置１４は、ＡＣ信号特性が規定の閾値（ＡＣTH）より大きいかどうかを検査する（ステップ１０２）。ＡＣ信号特性が規定の閾値（ＡＣTH）より大きくない場合（ステップ１０２）、パワーモード制御装置１４は、ある遅延期間だけ一時停止してから（ステップ１０４）、ＡＣ信号特性が規定の閾値（ＡＣTH）より大きいかどうかを再検査する（ステップ１０６）。再検査後、ＡＣ信号特性が規定の閾値（ＡＣTH）より大きい場合（ステップ１０６）、パワーモード制御装置１４はウェイクモードを保ち（つまり、出力６４が使用可能になり、ＬＯＳ信号７０が「偽」状態に設定される）、検査、待機、および再検査ステップが繰り返される（ステップ１０２〜１０６）。あるいは（ＡＣ信号特性が規定の閾値ＡＣTHよりも大きくはない場合）、パワーモード制御装置１４はスリープモードの開始に戻り（ステップ９０）、任意の遅延期間後にＤＣ信号特性検知プロセスを繰り返す（ステップ９２）。
【００２８】
図６は、スリープ復帰回路１０の１つまたは複数の実施の形態が内蔵される１つの例示的な適用環境１０８を示す。たとえば、適用環境１０８は、光ファイバでネットワーク化されたマルチメディアシステムで、自動車の適用環境に配置するように構成されるシステムに相当する。適用環境１０８は、主制御装置１１４と、一連のＭ個の装置１１６とを備え、ここでＭは１以上の整数値である。例示的な自動車適用環境では、装置１１６は、ＣＤチェンジャー、アクティブスピーカ、内蔵式のセルラー電話、ディジタルラジオ、ラップトップコンピュータ、ＣＤプレイヤー、ＤＶＤプレイヤー、増幅器、マイクロフォン、ＧＰＳナビゲーションシステム、ビデオカメラ、ビデオディスプレイ、および対話式セキュリテイシステムから選択することができる。各々の装置１１６は、受信機（ＲＸ）および送信機（ＴＸ）を含むトランシーバモジュール１１８や、制御装置１２０、種々の装置用の電子回路１２２を備える。
【００２９】
適用環境１０８では、トランシーバモジュール１１８内に埋め込まれるスリープ復帰回路１０は、上流の部品（つまり、主制御装置１１４または装置１１６の１つ）から受信する入力信号に基づいて、個々の装置１１６の動作モードを個々に制御する。こうして、上流の装置が、受信信号が実際のデータ信号ではないと決定した場合、下流の装置はスリープモードを保つ。スリープ復帰回路１０は、入力信号の複数の特性を検知した後に、スリープモードからウェイクモードに遷移するため、偽起動信号を防止する可能性は大きくなる。したがって、さもなければ（本発明に係るスリープ復帰回路を有していなければ）、不注意で装置１１６が起動して（たとえば、システム保守時に、迷光が光ファイバネットワーク内に侵入することにより）生じる可能性のある不要な電力消費を、本発明により防止することができる。
【００３０】
その他の実施態様は、請求の範囲内に含まれる。
【００３１】
なお、本発明は例として次の態様を含む。（  ）内の数字は添付図面の参照符号に対応する。
［１］  入力信号（１８）から第１の信号特性を検知するのに応じて第１信号検知モードから第２信号検知モードに遷移するように動作し、前記入力信号（１８）から前記第１の信号特性とは異なる第２の信号特性を検知するのに応じて、前記第２信号検知モードから第３動作モードに遷移するように動作可能であるスリープ復帰回路（１０）を備えることを特徴とする装置。
［２］  前記第１信号検知モードにおける前記スリープ復帰回路（１０）の電力消費量が、前記第２信号検知モードにおける前記スリープ復帰回路（１０）の電力消費量より少ないことを特徴とする、上記［１］に記載の装置。
［３］  前記第３動作モードが、装置をフルパワーモードで作動させるのに相当することを特徴とする、上記［２］に記載の装置。
［４］  前記第３動作モードが第３信号検知モードに対応し、前記スリープ復帰回路が、前記入力信号信号（１８）から前記第１および第２の信号特性とは異なる第３の信号特性を検知するのに応じて、前記第３信号検知モードから第４動作モードに遷移するように動作可能であることを特徴とする、上記［２］に記載の装置。
［５］  前記スリープ復帰回路（１０）が、前記入力信号（１８）から前記第１の信号特性を検知するように動作可能な第１信号検知器（１６）と、前記入力信号（１８）から前記第２の信号特性を検知するように動作可能な第２信号検知器（１６）とを備えることを特徴とする、上記［１］に記載の装置。
［６］  前記第１信号検知器（５２）が前記入力信号の直流特性を検知し、前記第２信号検知器（５４）が前記入力信号の交流特性を検知することを特徴とする、上記［２］に記載の装置。
［７］  前記スリープ復帰回路（１０）が、前記第１および第２信号検知モード時に、装置をスリープモードで作動させるのに対応する出力データを伝送することを特徴とする、上記［１］に記載の装置。
［８］  前記スリープ復帰回路（１０）が、前記装置を前記第３動作モードで動作させている時に、前記入力信号（１８）のデータに対応する出力データ（２０）を伝送することを特徴とする、上記［１］に記載の装置。
［９］  装置を作動させる方法であって、
入力信号（１８）から第１の信号特性を検知するステップと、
前記入力信号（１８）から前記第１の信号特性を検知するのに応じて、第１信号検知モードから第２信号検知モードに遷移するステップと、
前記入力信号（１８）から前記第１の信号特性とは異なる第２の信号特性を検知するステップと、
前記入力信号（１８）から前記第２の信号特性を検知するのに応じて、前記第２信号検知モードから第３動作モードに遷移するステップと
を有することを特徴とする方法。
［１０］  前記第１および第２の信号特性を検知するステップが、それぞれ異なる重複していない期間中に実行されることを特徴とする、上記［９］に記載の方法。
【図面の簡単な説明】
【００３２】
【図１】スリープ復帰回路を示すブロック図である。
【図２】図１に示すスリープ復帰回路を作動させる方法を示すフローチャートである。
【図３】図１に示すスリープ復帰回路のある実施の形態を示すブロック図である。
【図４】図３に示すスリープ復帰回路を作動させる方法を示すフローチャートである。
【図５】図３に示すスリープ復帰回路を作動させる別法による方法を示すフローチャートである。
【図６】図１に示すスリープ復帰回路の例示的な一適用環境を示す図である。
【符号の説明】
【００３３】
１０  スリープ復帰回路、マルチモード検知システム
１２  マルチモード検知システム
１４  パワーモード制御装置
１６  信号検知器
１８  入力信号
２０  出力信号
２２  制御信号
２４  出力データ
５２  検知器
５４  検知器
５６  光電変換器
５８  電気信号
６０  スイッチ
６２  信号検知モードイネーブル信号
６４  出力（出力回路、出力装置）
６６  データ
６８  出力モードイネーブル信号
７０  信号
１０８  適用環境
１１４  主制御装置
１１６  装置
１１８  トランシーバモジュール
１２０  制御装置
【図１】
2005108240.tif 000003
【図２】
2005108240.tif 000004
【図３】
2005108240.tif 000005
【図４】
2005108240.tif 000006
【図５】
2005108240.tif 000007
【図６】
2005108240.tif 000008